(57)【特許請求の範囲】
【請求項１】
一本目の電線の先端部が挿入される挿入穴を有する筒型の第１圧縮部と、前記挿入穴に対して平行に形成されかつ二本目の電線が挿入される開口を有する第２圧縮部とを備え、
前記挿入穴の一方の端部は開放されかつ他方の端部は閉鎖されており、
前記第２圧縮部は、前記第１圧縮部の側面の一部を共有し、当該共有した側面から弧状に延在する延在片を更に有し、
前記開口は、前記延在片の先端と前記側面との間に形成されることを特徴とする電線接続用スリーブ。
【請求項２】
請求項１記載の電線接続用スリーブを用いて二本の電線を接続する電線接続方法であって、
前記挿入穴の一方の端部から前記一本目の電線を挿入して前記第１圧縮部を圧縮することによって前記第１圧縮部に前記一本目の電線を挟持させる工程と、
前記開口から二本目の電線を挿入して前記第２圧縮部を圧縮することによって前記第２圧縮部に前記二本目の電線を挟持させる工程とを備えることを特徴とする電線接続方法。
【発明の詳細な説明】
【技術分野】
【０００１】
本発明は、電線同士を接続するための電線接続用スリーブ及び電線接続方法に関する。
【背景技術】
【０００２】
従来より、電線接続用スリーブとしてはＣ型スリーブが一般的に用いられており、Ｃ型スリーブ内に２本の電線を収納し、Ｃ型スリーブを圧縮固定装置で圧縮して締め付けることにより、２本の電線が電気的に接続した状態で保持される。
【０００３】
また、従来、電線接続用スリーブとしては、Ｃ型スリーブ以外にも様々な種類のスリーブが提案されている。例えば、特許文献１には、二つの導線を挟持する断面形状が６字型の筒形の挟持装置について開示されている。
【先行技術文献】
【特許文献】
【０００４】
【特許文献１】実用新案登録第３１１４１３３号公報
【発明の概要】
【発明が解決しようとする課題】
【０００５】
しかしながら、圧縮時において、挿入した２本の電線がずれてしまうのを防止するために支える必要があるものの、片手に圧縮器を持つことになるため、支えることのできる電線は１本、又はＣ型スリーブ自体を支えることになる。
【０００６】
このため、１本の電線を支えた場合には、他方の電線がずれてしまう可能性があり、Ｃ型スリーブ自体を支えた場合には、圧縮時に手を巻き込む可能性がある。
【０００７】
特許文献１に記載された技術においても電線がずれてしまう可能性があり、電線の皮覆部分を含めて圧縮してしまうことにより、不良が発生するおそれがある。
【０００８】
本発明は、このような問題点を解決し、圧縮作業を確実に行いかつ不良の発生を低減することを実現した電線接続用スリーブ及び電線接続方法を提供することを目的とする。
【課題を解決するための手段】
【０００９】
前記目的を達成するため、本発明は、次に記載する構成を備えている。
【００１０】
（１）一本目の電線の先端部が挿入される挿入穴を有する筒型の第１圧縮部と、前記挿入穴に対して平行に形成されかつ二本目の電線が挿入される開口を有する第２圧縮部とを備え、前記挿入穴の一方の端部は閉鎖されており、前記第２圧縮部は、前記第１圧縮部の側面の一部を共有し、当該共有した側面から弧状に延在する延在片を更に有し、前記開口は、前記延在片の先端と前記側面との間に形成されることを特徴とする電線接続用スリーブ。
【００１１】
（２）（１）の電線接続用スリーブを用いて二本の電線を接続する電線接続方法であって、前記挿入穴の他方の端部から前記一本目の電線を挿入して前記第１圧縮部を圧縮することによって前記第１圧縮部に前記一本目の電線を挟持させる工程と、前記開口から二本目の電線を挿入して前記第２圧縮部を圧縮することによって前記第２圧縮部に前記二本目の電線を挟持させる工程とを備えることを特徴とする電線接続方法。
【００１２】
（１）、（２）によれば、第１圧縮部に一本目の電線を挿入した場合に、一本目の電線の先端が挿入穴の奥で止まるため、電線接続用スリーブが一本目の電線に支持されるようになり、従来のように、作業員が電線接続用スリーブを支持する必要がなくなる。また、一本目の電線の先端部が第１圧縮部から突出することがないため、電線の皮覆部分が第１圧縮部内に挿入されたまま圧縮してしまうといった不具合の発生を防止することができる。また、第１圧縮部における圧縮の後に、第２圧縮部における圧縮を行うことにより、一本目の電線及び二本目の電線のそれぞれの接続作業を確実に行うことが可能になる。これにより、不良の発生を低減することが可能になる。
【発明の効果】
【００１３】
本発明によれば、圧縮作業を確実に行いかつ不良の発生を低減することが可能になる。
【図面の簡単な説明】
【００１４】
【図１】本発明の第１実施形態における電線接続用スリーブ１の外観を示す斜視図である。
【図２】電線接続用スリーブ１の正面図である。
【図３】第１実施形態の電線接続用スリーブ１を用いた電線の接続工程を示す説明図である。
【図４】第１実施形態の電線接続用スリーブ１を用いた電線の接続工程を示す説明図である。
【図５】第１実施形態の電線接続用スリーブ１を用いた電線の接続工程を示す説明図である。
【図６】第１実施形態の電線接続用スリーブ１を用いた電線の接続工程を示す説明図である。
【図７】第１実施形態の電線接続用スリーブ１を用いた電線の接続工程を示す説明図である。
【図８】本発明の第２実施形態における電線接続用スリーブ１の要部構成を示す平面である。
【図９】本発明の第２実施形態における電線接続用スリーブ１を用いた電線の接続工程を示す説明図である。
【発明を実施するための形態】
【００１５】
以下、本発明の実施形態について、図面を参照しながら詳細に説明する。
【００１６】
［第１実施形態］
図１は、本発明の第１実施形態における電線接続用スリーブ１の外観を示す斜視図である。電線接続用スリーブ１は、二本の電線１００同士を接続するものであり、一本目の電線が接続される第１圧縮部１０と、二本目の電線が接続される第２圧縮部２０とを備えている。
【００１７】
第１圧縮部１０は、長手方向に延びる略直方体形状の第１圧縮部本体１０ａと、この第１圧縮部本体１０ａに形成された挿入穴１２とを備えている。
【００１８】
第１圧縮部本体１０ａの両端面は略長方形であり、１つの長辺が円弧状に膨らんでいる。なお、説明の便宜上、第１圧縮部本体１０ａの４つの側面において、円弧状に膨らんでいる側面を外面、外側面に対向する側面を内面、外面と内面との間の二側面の一方を上面、他方を下面と称することにする。
【００１９】
挿入穴１２は、第１圧縮部本体１０ａの一方の端面から他方の端面に向かって延びる円柱状の穴であり、挿入穴１２の一方の端部は開放されており、他方の端部は閉鎖されている。挿入穴１２の径は、電線の先端部が挿入可能な大きさに設定されている。このように、第１圧縮部１０は、未貫通の挿入穴１２を有する筒型に形成されている。
【００２０】
第２圧縮部２０は、第１圧縮部１０から延出する延在片２０ａと、開口２２とを備えている。
【００２１】
延在片２０ａは、第１圧縮部本体１０ａの内面の下面側端部から挿入穴１２に対して直角方向に下面に沿って延出している。延在片２０ａの先端部は円弧状に曲がっており、先端が第１圧縮部本体１０ａの内面の上面側端部に対向する。
【００２２】
開口２２は、第１圧縮部本体１０ａの内面の上面側端部と延在片２０ａの先端との間に形成された空間からなり、開口２２の幅は電線が挿入可能な大きさに設定されている。
【００２３】
ここで、第１圧縮部１０と第２圧縮部２０とは、第１圧縮部１０の内面側の部分を共有している。このため、第２圧縮部２０は、正面視した場合に、第１圧縮部１０の内面側の部分と延在片２０ａとによってＣ字型に形成されている。
【００２４】
また、第１圧縮部本体１０ａの内面及び延在片２０ａの内面によって、挿入穴１２に対して平行に延びる内部空間２４が形成されている。このため、電線は開口２２を介して内部空間２４に挿入可能である。また、内部空間２４の長手方向両側部は、電線の先端部が挿通可能な大きさに開放されている。このため、電線の先端部は、第２圧縮部２０の長手方向両側部からも内部空間２４に挿入可能である。
【００２５】
図２は電線接続用スリーブ１の正面図である。電線接続用スリーブ１は、図２に示すように、挿入穴１２を軸方向視した場合、略６字型に形成されている。そして、一本目の電線１００は、挿入穴１２の内部に配置され、二本目の電線２００は、内部空間２４に配置される。
【００２６】
次に、電線接続用スリーブ１を用いて電線の接続工程について説明する。
まず、作業員は、一本目の電線１００及び二本目の電線２００の先端部の皮覆を除去して銅線を露出させる。この時、一本目の電線１００において露出させる銅線の長さは、挿入穴１２の深さよりも若干長くなるように設定する。次に、作業員は、図３（ａ）、図３（ｂ）に示すように、銅線が挿入穴１２の端部に当接するまで挿入穴１２に銅線を挿入する。次に、作業員は、図４に示すように、圧縮固定装置４０を用いて第１圧縮部本体１０ａの上面及び下面を挟んで第１圧縮部１０を圧縮する。この時、第１圧縮部１０の挿入穴１２が、図５（ａ）に示すように変形することにより、電線１００が第１圧縮部１０によって挟持される。
【００２７】
次に、作業員は、図５（ａ）、図５（ｂ）に示すように、二本目の電線２００の銅線を、開口２２又は第２圧縮部２０の長手方向の端部から内部空間２４に挿入する。次に、作業員は、図６に示すように、圧縮固定装置４０を用いて第２圧縮部２０を圧縮する。この時、第２圧縮部２０の延在片２０ａが変形することにより、電線２００が第２圧縮部２０によって挟持される。これにより、電線接続用スリーブ１によって二本の電線１００、２００が接続される。
【００２８】
ところで、図３〜図６に示す接続工程は、二本目の電線２００の先端部の皮覆を剥ぎ取り、剥き出しになった銅線を第２圧縮部２０に対して開口２２又は第２圧縮部２０の長手方向の端部から内部空間２４に挿入するものである。それに対し、図７に示す接続工程は、二本目の電線２００の中途部分の一部の皮覆を剥ぎ取り、剥き出しになった銅線を第２圧縮部２０に取り付けるものである。
【００２９】
二本目の電線２００の中途部分に電線接続用スリーブ１を取り付ける場合には、まず、図３に示すように、一本目の電線１００を第１圧縮部１０に取り付けて圧縮した後、図７（ａ）に示すように、二本目の電線２００において剥き出しになった中途部分の銅線を、第２圧縮部２０の開口２２を介して内部空間２４に挿入して、内部空間２４内に位置付ける。そして、図７（ｂ）に示すように、第２圧縮部２０を圧縮する。これにより、電線接続用スリーブ１によって二本の電線１００、２００が接続される。
［第２実施形態］
【００３０】
図８は、本発明の第２実施形態における電線接続用スリーブ１の外観を示す斜視図である。なお、図１に示す第１実施形態における部材と同一の部材あるいは同一機能の部材については、同一の符号を付すことによって詳細な説明は省略する。
【００３１】
図１に示す第１実施形態における電線接続用スリーブ１は、挿入穴１２の他端部が塞がれていることに対し、図８に示す第２実施形態における電線接続用スリーブ１は、図１に示す挿入穴１２の代わりに、両端部が開放されている貫通穴１３を備えている。
【００３２】
そして、電線接続用スリーブ１を用いて二本の電線１００、２００を接続する際には、作業員は、まず、図９に示すように、貫通穴１３の片方の端部にキャップ５０を取り付けて閉鎖する。以下、図３〜図６に示す工程と同じ要領で電線接続用スリーブ１に電線１００、２００を挿入して圧縮する。これにより、電線接続用スリーブ１によって二本の電線１００、２００が接続される。なお、キャップ５０は、第１圧縮部１０の圧縮及び第２圧縮部２０の圧縮が終了した後に、そのまま取り付けておいても取り外してもよい。
なお、キャップ５０の代わりに、粘着テープによって貫通穴１３の片方の端部を封止してもよい。
【００３３】
以上、説明したように構成された本実施形態によれば、第１圧縮部１０に一本目の電線１００を挿入した場合に、一本目の電線１００の先端が挿入穴１２の奥で止まるため、電線接続用スリーブが一本目の電線に支持されるようになり、作業員が電線接続用スリーブ１を支持する必要がなくなる。また、一本目の電線１００の先端部が第１圧縮部１０から突出することがないため、電線１００の皮覆部分が第１圧縮部１０内に挿入されたまま圧縮してしまうといった不具合の発生を防止することができる。また、第１圧縮部１０における圧縮の後に、第２圧縮部２０における圧縮を行うことにより、一本目の電線１００及び二本目の電線２００のそれぞれの接続作業を確実に行うことが可能になる。これにより、接続不良の発生を低減することが可能になる。
【００３４】
また、変圧器吊り替え等の作業を行う場合、一方の電線は地上において電線接続用スリーブ１の第１圧縮部１０に挿入して圧縮しておくことが可能になる。このように、一本目の電線の電線接続用スリーブ１への圧縮作業と、二本目の電線の電線接続用スリーブ１への圧縮作業とを分けて行うことが可能になるため、作業内容によっては作業員による作業性を向上させることが可能になる。
【符号の説明】
【００３５】
１  電線接続用スリーブ
１０  第１圧縮部
１０ａ  第１圧縮部本体
１２  挿入穴
１３  貫通穴
２０  第２圧縮部
２０ａ  延在片
２２  開口
２４  内部空間
４０  圧縮固定装置
５０  キャップ
１００、２００  電線
【要約】
【課題】圧縮作業を確実に行いかつ不良の発生を低減することを実現した電線接続用スリーブを提供する。
【解決手段】電線接続用スリーブ１は、一本目の電線の先端部が挿入される挿入穴１２を有する筒型の第１圧縮部１０と、第１圧縮部１０に一体化され、二本目の電線が挿入される開口２２を有するＣ字型の第２圧縮部２０とを備え、挿入穴１２の一方の端部は閉鎖されており、挿入穴１２の他方の端部から一本目の電線を挿入して第１圧縮部１０を圧縮することによって第１圧縮部１０に一本目の電線を挟持させた後、開口２２から二本目の電線を挿入して第２圧縮部を圧縮することによって第２圧縮部２０に二本目の電線を挟持させる。
【選択図】図１【図１】
0005497208.tif 000002
【図２】
0005497208.tif 000003
【図３】
0005497208.tif 000004
【図４】
0005497208.tif 000005
【図５】
0005497208.tif 000006
【図６】
0005497208.tif 000007
【図７】
0005497208.tif 000008
【図８】
0005497208.tif 000009
【図９】
0005497208.tif 000010